(57)【特許請求の範囲】
【請求項１】
バッグ本体（１）の裏面に長方形の布の上辺（１−２）及び下辺（１−３）を縫い付けて、右辺（１−５）及び左辺（１−４）を開口部とした帯通し（１−１）を設け、和装用帯の半分の幅で、胴の長さの２倍より短い長さの前帯（２）を、前帯の一方の端（Ａ−Ａ‘）を折り返し地点（C−C’）で折り返して重なる地点（D−D’）で結合させ輪を作って帯を二重にし、折り返し地点（Ｃ−Ｃ’）から帯の他方の端（Ｂ−Ｂ‘）までの長さを胴を一周させる長さとし、バッグ本体の帯通し（１−１）に二重になった帯の外側の部分を通し、二重になった帯の外側の部分でバッグがスライド出来るようにし、前帯の一方の端（Ａ−Ａ’）に長さを調節する留め具（２−１）を設け、帯の他方の端（Ｂ−Ｂ‘）にフックのついた留め具（２−２）を設け、バッグを背負った後、前帯の輪になった部分（Ｃ−Ｃ‘）にフックを掛けて前帯を体に一周させて帯を安定させた体の前面に引き寄せることの出来るバッグ。
【請求項２】
肩掛けバンドを備えるリュックサックの裏面にベルト通しを設け、二重にしたベルト
（５）の外側のベルト（５−１）をリュックサックの裏面のベルト通し（３−２）に通
し、体の前面でのバッケルでベルトを繋いだ体の前面に引き寄せることの出来るバッ
グ。
【請求項３】
肩掛けバンドの先端にフックを設け、リュックサックの下の部分にリングを設けて肩
掛けバンドの着け外しを可能にしたリュックサックの裏面にベルト通しを設け、二重
にしたベルト（５）の外側のベルト（５−１）をリュックサックの裏面のベルト通し
（３−２）に通し、体の前面のバッケルでベルトを繋いだ請求項２に記載の体の前面
に引き寄せることの出来るバッグ。
【発明の詳細な説明】
【技術分野】
【０００１】
本発明は，バッグと帯に関する。
【背景技術】
【０００２】
和装用帯は背中にお太鼓を作るが、お太鼓は装飾用にのみ使われている。特許文献１のように和装用帯を結ぶための形整具や、特許文献２のような作り帯に関するものは見受けられる。
外出時にバッグを持つのは通常行われるが最近はリュックサックも好まれて使用されている。リュックサックに関する特許文献は数多くある。特許文献３のように肩掛けバンドに工夫をしたもの、特許文献４・特許文献５のようにバッグに工夫をしたものが多いが、ベルトとリュックサックを組み合わせることにより、背負ったバッグを体の前面に引き寄せるものは見当たらない。
【先行技術文献】
【特許文献】
【０００３】
【特許文献１】特許４７２７１８９号公報
【特許文献２】特許３１０６０９５号公報
【特許文献３】特開２００５−３１２８４０号公報
【特許文献４】特許４４２６６３８号公報
【特許文献５】特許３０６７９８３号公報
【発明の概要】
【発明が解決しようとする課題】
【０００４】
和装用帯のお太鼓は、装飾用のみに使われている。お太鼓を収納用のバッグにし、且つ収納物を取り出しやすいようにするためにバッグを体の前面引き寄せることが課題である。
また外出時にハンドバッグやショルダーバッグを所有することは通常行われている。最近はリュックサックを使用する人が増えてきて、おしゃれなリュックサックも数多く見られるようになったが、リュックサックは収納物を取り出す際に、肩掛けバンドを肩から外し、一度下さなければ収納物を出すことが出来なく不便である。
背中にあるバッグを下すことなく、体の前面に引き寄せることが課題である。
【課題を解決するための手段】
【０００５】
二重にした帯の外側の帯を、バッグの裏面に設けた帯通しに通して一体とさせる構造とした。
【０００６】
バッグ本体（１）の裏面に長方形の布の上辺（１−２）及び下辺（１−３）を縫い付けて、右辺（１−５）及び左辺（１−４）を開口部とした帯通し（１−１）を設ける。
バッグを体の前面に引き寄せるのを容易にするために、バッグの両サイドに帯締め（１−６）を設け、一方の帯締めの先端に帯留（１−７）を他方の帯留の先端にフックの付いた帯留（１−８）を設けて接続を可能とさせた。
【０００７】
和装用帯の半分の幅で、胴の長さの２倍より短い長さの帯AA’B’Bを前帯（２）とする。
CBを胴の長さとしA−A’をC−C’で折り返してCB上のD−D’で結合させ輪をつくりAD間で帯を二重にする。（図３）
バッグ本体の帯通し（１−１）に二重になった帯の外側の部分を通し、外側の帯の部分でバッグがスライド出来るようにする。（図４）
A−A’に長さを調節する留め具（２−１）を設ければ、着用する人の体形にフィットさせることが出来る。
B−B’にフックのついた留め具（２−２）を設け、バッグを背負った後、前帯の輪になった部分C−C’にフックを掛けて前帯を体に一周させて帯を安定させる。
【０００８】
帯の幅が狭い皮・布または合成樹脂繊維製のベルトを用いる場合は、背負ったリュックサック（３）が不安定になる恐れがあるので、肩掛けバンド（４）を使用して体に密着させる。ベルト（５）を二重にし、外側のベルト（５−１）をリュックサックの裏面のベルト通し（３−２）に通し、体の前面でバッケル（５−３）バッケル２（５−４）を用いてベルトを繋ぐ。リュックサック（３）は外側のベルト（５−１）をスライドし、背中から体の前面へと移動することが出来る。リュックサックを体の前面へスライドする時肩掛けバンドは外したほうがスムーズに出来るので、肩掛けバンドの先端にフック（４−１）を、リュックサック（３）の下の部分にリング（３−１）を設け、付け外しを可能にする。
【発明の効果】
【０００９】
着物を着た時、帯のお太鼓はもっぱら装飾の作用しかなかったが、これをバッグにすることにより、物を収容し持ち運びが出来るようにした。
帯は着用すると姿勢を良くし、歩行も楽になり、腰痛を治す効果もあり健康に良い。
背中に取り付けたバッグから収納物を取り出す際、二重の帯の外側の部分でバッグがスライドするので、バッグを体の前面に引き寄せて収納物の出し入れをすることが出来る。また乗り物に乗る際は、体の前面にバッグを引き寄せて、スリなどの被害を免れることが出来る。座席に座る際も楽である。
リュックサックの場合も同様のことが言える。リュックサックから収納物を取り出す際は、肩掛けバンドを肩から外してリュックを下さなければならなかったが、本発明ではリュックサックを下すことなく、体の前面に引き寄せることが出来るので、収納物を取り出すのに便利である。
【図面の簡単な説明】
【００１０】
【図１】本発明着用時背面斜視図
【図２】バッグの裏面斜視図
【図３】帯展開図
【図４】本発明斜視図
【図５】本発明着用時正面・側面・背面図
【図６】バッグを体の前面に引き寄せた時の正面・側面・背面図
【図７】フックのついた留め具
【図８】リュックサックとベルトを組み合わせたときの斜視図
【発明を実施するための形態】
【００１１】
二重にした帯の外側の帯を、バッグの裏面に設けた帯通しに通して一体とさせる構造とした。
【００１２】
バッグ本体（１）の裏面に長方形の布の上辺（１−２）及び下辺（１−３）を縫い付けて、右辺（１−５）及び左辺（１−４）を開口部とした帯通し（１−１）を設ける。
バッグを体の前面に引き寄せるのを容易にするために、バッグの両サイドに帯締め（１−６）を設け、一方の帯締めの先端に帯留（１−７）を他方の帯留の先端にフックの付いた帯留（１−８）を設けて接続を可能とさせる。
帯留を引くと背中のバッグを体の前面に引き寄せることが楽に行え、また反対側の帯留を引くとバッグを背中に回すことが容易となる。
【００１３】
和装用帯の半分の幅で、胴の長さの２倍より短い長さの帯AA’B’Bを前帯（２）とする。
CBを胴の長さとしA−A’をC−C’で折り返してCB上のD−D’で結合させ輪をつくりAD間で帯を二重にする。（図３）
バッグ本体の帯通し（１−１）に二重になった帯の外側の部分を通し、外側の帯の部分でバッグがスライド出来るようにする。（図４）
帯を二重にしたのは、一重では帯通しが体と帯の間をスライドするので、着物の着くずれが生じる。この形のものであれば、洋服着用時にも使用できる。洋服着用時でも、帯が二重になっていれば、洋服が捻じれる心配はない。
A−A’に長さを調節する留め具（２−１）を設ければ、着用する人の体形にフィットさせることが出来る。
B−B’にフックのついた留め具（２−２）を設け、バッグを背負った後、前帯の輪になった部分C−C’にフックを掛けて前帯を体に一周させて帯を安定させる。この際C−C’を右利きの人は体の左前面で、左利きの人は右前面に寄せて着用すると、帯通しが体の正面にくるので収納物を取り出す作業が楽になる。
外出時に帯を巻いて歩行することにより姿勢が良くなり、腰痛の人にも効果的である。
バッグから収納物を取り出したい時は、バッグについている帯締めを引いて体の前面に引き寄せると、収納物の出し入れが容易である。また背中に戻す時も反対側の帯締めを引くと容易に背中に戻すことができる。
乗り物に乗った時はバッグが体の前面にあった方が、背中にあるときよりスリの被害を免れる可能性がある。また乗り物の椅子に腰かける時は、背中にバッグがあるより体の前面にある方が楽である。
【００１４】
帯の幅が狭い皮または合成樹脂繊維製のベルトを用いる場合は、背負ったリュックサック（３）が不安定になる恐れがあるので、肩掛けバンド（４）を使用して体に密着させる。
ベルト（５）を二重にし、外側のベルト（５−１）をリュックサックの裏面のベルト通し（３−２）に通し、体の前面のバッケル（５−３）バッケル２（５−４）でベルトを繋ぐ。
リュックサック（３）は外側のベルト（５−１）をスライドし、背中から体の前面へと移動することが出来る。リュックサックを体の前面へスライドする時肩掛けバンドを外したほうがスムーズに出来るので、肩掛けバンドの先端にフック（４−１）を、リュックサック（３）の下の部分にリング（３−１）を設け着け外しを可能にする。
【符号の説明】
【００１５】
１．  バッグ
１−１  帯通し（布）
１−２  布の上辺
１−３  布の下辺
１−４  布の左辺
１−５  布の右辺
１−６  帯締め
１−７  帯留
１−８  フックの付いた帯留
２．    前帯
２−１  長さを調節する留め具
２−２  フックのついた留め具
３．  リュックサック
３−１  リュックサックのリング
３−２  ベルト通し
４．    肩掛けバンド
４−１  肩掛けバンドのフック
５      二重ベルト
５−１  外側のベルト                                                                                          
５−２  内側のベルト
５−３  バッケル
５−４  バッケル２
Ａ−Ａ’ 帯の一方の端
Ｂ−Ｂ’ 帯の他方の端
Ｃ−Ｃ’ 折り返し地点
Ｄ−Ｄ’   Ａ−Ａ’をＣ−Ｃ’で折り返して重なる地点
【要約】
【課題】装飾用のみに使われているお太鼓を収納用のバッグにし、収納物を取り出しやすいようにするために体の前面に引き寄せることの出来るバッグを提供する。
また収納物を取り出す際に背中にあるリュックサックを下すことなく、体の前面に引き寄せることの出来るリュックサックを提供する。
【解決手段】二重にした帯の外側の帯を、バッグの裏面に設けた帯通しに通して一体とさせ、バッグを二重にした外帯をスライドさせて、背中から体の前面へ、体の前面から背中へと移動させることを特徴とする。
【選択図】図４【図１】
0005993069.tif 000002
【図２】
0005993069.tif 000003
【図３】
0005993069.tif 000004
【図４】
0005993069.tif 000005
【図５】
0005993069.tif 000006
【図６】
0005993069.tif 000007
【図７】
0005993069.tif 000008
【図８】
0005993069.tif 000009